(57)【特許請求の範囲】
【請求項１】
非接触方式でデータの送受信を行うアンテナ部と情報記憶部を有するＩＣ回路がシート内に内包されたＩＣ回路付シートを通帳に一体的に添付してなる非接触式ＩＣ付き通帳であって、前記情報記憶部には、通帳に対応する届出印の印影データが記憶されてなり、前記ＩＣ回路付シートは、アンテナ部、ＩＣ回路を内包する基材シートの表裏に上質紙を積層し構成され、通帳の中紙と共に綴じ合わされたことを特徴とする非接触式ＩＣ付き通帳。
【請求項２】
前記ＩＣ回路の情報記憶部には、通帳に対応する届出印の印影データとともに通帳に対応する口座番号情報が記憶されてなることを特徴とする請求項１記載の非接触式ＩＣ付き通帳。
【発明の詳細な説明】
【０００１】
【発明の属する技術分野】
本発明は、銀行等の通帳に関し、特に非接触方式でデータの送受信を行うアンテナ部と電子的データが記憶される情報記憶部を有するＩＣ回路がシート内に内包され、ＩＣ回路付シートが通帳に一体的に添付されてなる非接触式ＩＣ付き通帳に関する。
【０００２】
【従来の技術】
従来、銀行等の金融機関で使用する通帳は、通帳に対応する口座から預金の引出し請求や口座の解約請求を行う際、口座に対応する届出印鑑の捺印を通帳の所定の箇所へ直接行うか、捺印した用紙を通帳へ貼り付けて届出の印影が表示されていた。
【０００３】
しかしながら、口座名義人が通帳を紛失たり盗難により、悪意の第三者の手に渡った場合、その通帳に表示された印影を基に酷似した印鑑を作成したり、極めて判別しにくい印鑑を使用し、通帳に対応する口座から預金の引出し請求や口座の解約請求を行う事件が発生し、被害金額も増加し社会問題化している。
【０００４】
そこで、通帳には届出の印影は、金融機関が保管するのみで通帳には表示させないようにすることが望ましいとされていた。そして、正規の口座名義人がその通帳と届出印を持参し、預金の引出し請求や解約請求を行う場合、口座を開設した本店又は支店の窓口で、金融機関が保管するその口座に対応する届出の印影を取出し、その都度、正規の口座名義人が提出した印影と金融機関が保管した印影とを確認するようにすることが試みられていた。
【０００５】
【発明が解決しようとする課題】
しかしながら、この印影照合は、通帳に対応する口座から預金の引出し請求や口座の解約請求等の請求の都度、口座に対応する届出印を保管場所から取出すことは、実質的に煩雑な手続きとなるうえ、手続を行う窓口が口座を開設した本店又は支店以外である場合は、手続を行う窓口の本店又は支店から口座を開設した本店又は支店に問い合わせ、対応する届出の印影を精度の良いＦＡＸで転送するか又はデータベースに口座名義人の印影をデジタルデータに変換して蓄積されたファイルからネットワークを通じてその対応する印影データを転送して、この印影データに基づいて目視できる印影に再現し、上記の確認をしなくてはならず、極めて煩雑な手続になったり、規模の大きいシステムを構築しなくてはならず、顧客に対するサービスも以前改善できないものとなっていた。本発明は、これらの欠点を改善するもので、通帳には届出の印影は、そのままでは目視による確認が不可能な方法で印影情報を通帳に添付する方法であって、正規の口座名義人がその通帳と届出印を持参することにより、どこの本店又は支店の窓口からでも簡単に迅速な預金の引出し請求や解約請求を行える通帳を提供することを目的とするものである。
【０００６】
【課題を解決するための手段】
本発明の非接触式ＩＣ付き通帳は、上記目的を達成するために非接触方式でデータの送受信を行うアンテナ部と情報記憶部を有するＩＣ回路がシート内に内包されたＩＣ回路付シートを通帳に一体的に添付してなる非接触式ＩＣ付き通帳であって、前記情報記憶部には、通帳に対応する届出印の印影データが記憶されてなり、前記ＩＣ回路付シートは、アンテナ部、ＩＣ回路を内包する基材シートの表裏に上質紙を積層し構成され、通帳の中紙と共に綴じ合わされた構成を採用することにより、通帳には届出の印影は、目視による確認が不可能にでき、正規の口座名義人がその通帳と届出印を持参することにより、どこの本店又は支店の窓口からでも簡単に迅速な預金の引出し請求や解約請求を行うことができるようになる。また、ＩＣ回路付シートの裏面に粘着部を形成したラベルを通帳の一部に貼着された構成のものに比較し、ＩＣ回路によるラベルが剥がされることがなく、よりセキュリティを高めることができる。
【０００７】
また、前記ＩＣ回路付シートは、裏面に粘着部を形成したラベル形状で構成され、通帳の一部に貼着されてなる構成を採用するこで、今までの通帳を利用して本発明によるシステムを採用でき産業上有益なものとなる。
【０００９】
そしてさらに、前記ＩＣ回路は、通帳に対応する届出印の印影データとともに通帳に対応する口座番号情報が記憶されてなることにより、印影データの読出しに際して、対応する口座データと印影データの照合が確実となりより高いセキュリティを求めることができる。
【００１０】
【発明の実施の態様】
次に、本発明を図１から図７に示す実施例に基づいて詳細に説明する。図１は、本発明の非接触式ＩＣ付き通帳の平面的状態の説明図、図２は、図１の非接触式ＩＣ付き通帳のＸ−Ｘ線断面説明図、図３は、本発明の別の実施態様を示す非接触式ＩＣ付き通帳の平面的状態の説明図、図４は、図３の非接触式ＩＣ付き通帳のＹ−Ｙ線断面説明図、図５は、非接触式ＩＣ付き通帳の使用状態における印影照合を行う表示画面説明図、図６は、図５で示した非接触式ＩＣ付き通帳の使用状態における印影照合を行うシステム説明図、図７は、通帳に取引き記録を印字する場合の状態を示す通帳印字フロー説明図である。
【００１１】
まず、本発明の非接触式ＩＣ付き通帳１は、図１に示されるようには、通帳を開くと通帳の種類を示す口座表示３、口座番号表示４、通帳を発行した金融機関の発行機関表示５を有し、さらに非接触方式でデータの送受信を行うアンテナ部１６と情報記憶部を有するＩＣ回路１７がシート１２内に内包されたＩＣ回路付シート２を通帳に一体的に添付してなるものであって、前記情報記憶部には、通帳に対応する届出印の印影データと通帳の口座番号データが記憶されている。また、この情報記憶部には、あらかじめ登録された暗証番号記憶エリアとこの登録された暗証番号と外部から入力された暗証番号との照合を行いＩＣ回路とのアクセスを許可する処理プログラムが記憶されると共にＩＣ回路１７には、処理プログラムに基づいて演算制御を行うＣＰＵを有している。
【００１２】
前記ＩＣ回路付シート２は、具体的には図２に示したようにアンテナ部１６と情報記憶部を有するＩＣ回路１７が、基材シート１２内に内包され、さらに表裏に上質紙１１、１２（あるいはポリエチレンテレフタレート（通称ＰＥＴ材）または、ポリプロピレンからなる樹脂シートでもよい）を積層し、さらに裏面に粘着部１４を形成したラベル形状で構成され、通帳１の一部に貼着されてなるものである。また、このラベル形状で構成されたＩＣ回路付シート２は、通帳発行時に少なくとも貼付されれば良いので、それまでは、粘着部１４に剥離紙が覆われている（図示せず）。これにより、今までの従来システムの通帳を利用して本発明によるシステムを採用できる。
【００１３】
そしてさらに、前記ＩＣ回路１７、２７には、通帳１に対応する届出印の印影データ３６（図５参照）とともに通帳１に対応する口座番号情報４（３６ｋ）が記憶されてなることにより、印影データ３６の読出しに際して、対応する口座データ３６ｋと印影データ３６の照合が確実となりより高いセキュリティを求めることができる。
【００１４】
図６の印影照合システムについて説明すると、照合装置４０は、印影の照合状態を表示する表示画面３１と、銀行員が操作する入力装置３２、照合装置４０を駆動するプログラム等が記憶された記憶装置３３が制御部３０を介してそれぞれ接続されている。また、制御部３０には、通帳１への印字、及びＩＣ回路に記憶されている印影データ３６を読取るためのリーダ／ライタ付プリンタ３５と、このリーダ／ライタ付プリンタ３５にＩＣ回路に記憶されている印影データ３６の読取りを行うためのパスワード（暗証番号）を入力するための暗証入力装置３４と、預金の引出請求書２８等に捺印された印影情報を光学的に読取りデジタルデータとして取り込むイメージ入力装置２９を制御できるように接続されている。
【００１５】
図５は、表示画面３１の拡大説明図が示されているが、次に、この図６と、図５に基づいて非接触式ＩＣ付き通帳１の使用状態について説明すると、例えば、預金の引出し請求を行う場合、通帳１には届出の印影は、目視による確認が第三者にはできないが正規の口座名義人であれば届出印を知っているので、預金の引出請求書２８に該当する届出印で捺印し、非接触式ＩＣ付き通帳１と共に銀行の窓口に提出する。銀行側は、非接触式ＩＣ付き通帳１をリーダ／ライタ付プリンタ３５で通帳に登録された印影データ３６と口座番号の読出しに際して、預金の引出請求者に暗証入力部３４から暗証番号を入力させ、非接触式ＩＣ回路にアクセスし、非接触式ＩＣ回路へのアクセスの許可を受けて、ＩＣ回路内の印影データ３６、口座番号データ３６ｋを読出し、表示画面３１に表示させる。
【００１６】
一方、引出請求者が提出した引出請求書２８は、イメージリーダ２９で捺印された払戻請求印データ３８、銀行員が入力装置３２から入力した口座番号データ３８ｋが、印影データ３６、口座番号データ３６ｋと対比されて表示画面３１に表示されると共に、表示画面３１には、さらに払戻請求印データ３８とＩＣ回路内の印影データ３６が重合状態で照合を行う照合ウインドウ３９が、口座番号の照合結果３９ｋと照合ウインドウ３９の照合率３７を表示として並列表示されるようになっており、簡単に届出印の照合が行えるようになっている。
【００１７】
また、このように本発明の非接触式ＩＣ付き通帳１は、構成されているので、通帳の取り引き記録行が満杯となり新規の非接触式ＩＣ付き通帳１を発行する場合の例を図７に基づいて説明する。まず、銀行の窓口の照合装置４０やキャッシュディスペンサ（図示せず）等で、通帳をその装置（照合装置の場合ＩＣリーダ／ライタ付プリンタ３５）に挿入（ステップ５１）すると、プリンタ部で通帳印字位置が確認され（ステップ５２）、通帳印字行が満杯でない場合（ステップ５３）は、通帳に必要な取り引き情報が１行書き込まれる（ステップ５４）。次にステップ５５で印字が終了であれば通帳が排出される（ステップ５６）が、印字情報が残っていればステップ５２に戻り通帳印字位置が確認される。ステップ５３で通帳印字行が満杯になった場合は、非接触式ＩＣ付き通帳１の使用者に暗証番号の入力を促し、入力（ステップ５７）された暗証番号が一致していれば（暗証番号の照合は通帳１のＩＣ回路内で行われる）、旧非接触式ＩＣ付き通帳１から新非接触式ＩＣ付き通帳１へ印影データと口座番号データおよび暗証番号等のデータが転送（ステップ５８）され、ステップ５４に戻り通帳に必要な取り引き情報が１行書き込まれる。そして以後同じ処理が繰返される。
【００１８】
上記ステップ５７において、暗証番号の照合の一致がとれない場合は、再度暗証番号入力を促すようになっている。また、キャッシュディスペンサでの払戻し処理の場合、通常は、キャッシュカードでの併用で通帳が利用され、最初に暗証番号の入力が行われ、その時点で暗証の照合が行われているので、通帳印字フロー図を示す図７のステップ５７は省略されてもよい。
【００１９】
以上のように本発明の非接触式ＩＣ付き通帳１は、構成されて使用されるが、他の実施態様としては、図３、図４に示されるように、例えば、通帳の表紙となる用紙２２にＩＣ回路を内包して構成してもよく、アンテナ２６、ＩＣ回路２７を内包する基材シート１５の表裏に上質紙２３、２４を積層し構成され、通帳の中紙と共に綴じ合わされて非接触式ＩＣ付き通帳２１が作成される。このようにすることで、図１、図２に示された非接触式ＩＣ付き通帳１のようにＩＣ回路付シート２を通帳に貼り付ける必要もなく、ＩＣ回路付シート２が剥がされことがなく、よりセキュリティを高めることができる上、従来の通帳と同様に扱える。
【００２０】
尚、上記実施態様において、非接触式ＩＣ回路は、ＣＰＵ付きの例を示したが必ずしもＣＰＵを付加する必要はなく、少なくとも届出印の印影データ、あるいは、印影データと口座番号データのみが記憶され、単にメモリ的な構成としてもよい。また、このメモリ的な構成であっても暗証番号や印影データを公知のファイルの暗号化、及び復元技術によりセキュリティを所望のレベルで選択することができる。いずれにしてもＩＣ回路内に印影データを記憶させ、目視による印影表示をさせないものであればよい。
【００２１】
さらにＩＣ回路にＣＰＵを付加しない場合や、暗証番号によって、ＩＣ回路にアクセスを許可する照合を行わない場合は、図６の照合装置４０の暗証入力部３４や図７で示した通帳印字フロー図で旧通帳から新通帳に、印影データやこの印影データと共に口座番号データを転送する際、ステップ５７の暗証番号入力が必要ないことはいうまでもない。
【００２２】
【発明の効果】
本発明の非接触式ＩＣ付き通帳１は、以上説明した構成により、通帳には届出の印影は、目視による確認が不可能となり、正規の口座名義人がその通帳と届出印を持参することにより、どこの本店又は支店の窓口からでも簡単に迅速な預金の引出し請求や解約請求を行えると共に、悪意の第三者による通帳に表示された印影を基に印鑑が偽造されたり、酷似する印鑑が使用され、通帳から預金の引出し請求や口座の解約請求を行う事件を防止できる。また、通帳の取り引き記録行が満杯となり新規の通帳を発行する場合にも従来のように印影シールを貼り替えたり、印影を表示するためにその都度印鑑を持参する必要ものなく印影データは旧通帳から新規通帳に簡単に転送でき産業上極めて有益な通帳を提供できる等の効果を奏する。
【図面の簡単な説明】
【図１】本発明の非接触式ＩＣ付き通帳の平面的状態の説明図。
【図２】図１の非接触式ＩＣ付き通帳のＸ−Ｘ線断面説明図。
【図３】本発明の別の実施態様を示す非接触式ＩＣ付き通帳の平面的状態の説明図。
【図４】図３の非接触式ＩＣ付き通帳のＹ−Ｙ線断面説明図。
【図５】非接触式ＩＣ付き通帳の使用状態における印影照合を行う表示画面説明図。
【図６】非接触式ＩＣ付き通帳の使用状態における印影照合を行うシステム説明図。
【図７】通帳に取引き記録を印字する場合の状態を示す通帳印字フロー説明図。
【符号の説明】
１、２１      非接触式ＩＣ付き通帳
２、２２      ＩＣ回路付シート
１６、２６      アンテナ部
１７、２７      ＩＣ回路
３１        表示画面
３５        ＩＣリーダ／ライタ付プリンタ
３６        印影データ
３６ｋ      口座番号データ
【図１】
0003847453.tif 000002
【図２】
0003847453.tif 000003
【図３】
0003847453.tif 000004
【図４】
0003847453.tif 000005
【図５】
0003847453.tif 000006
【図６】
0003847453.tif 000007
【図７】
0003847453.tif 000008